(57)【要約】【課題】この発明は、起動時に光ディスクから情報を読み取る際の光学式ヘッドの移動距離を極力短くさせるようにして、起動に要する時間の短縮化を図り、ひいては、起動の高速化を促進させるようにした光ディスク装置及びその制御方法を提供することを目的としている。【解決手段】光ディスク（１１）の情報記録領域の一部に欠陥が生じたことを検出して、その欠陥部分を代替領域の一部と交替させる手段（３７）と、所定の起動タイミングに基づいて、光ディスク（１１）の予め定められた特定の領域に記録されている情報を、その特定の領域に欠陥の生じたことが検出されていなくても、代替領域の一部に移動させる第２の手段（３７）とを備える。【選択図】    図１
2008165882.tif 000002
【特許請求の範囲】
【請求項１】
情報の書き替えが可能であり、情報記録領域とその一部の領域を交替させるための代替領域とを有する光ディスクに対して、情報の記録再生を行なう光ディスク装置であって、
前記光ディスクの情報記録領域の一部に欠陥が生じたことを検出して、その欠陥の生じた情報記録領域の部分を前記代替領域の一部と交替させる第１の制御手段と、
所定の起動タイミングに基づいて、前記光ディスクの情報記録領域のうち予め定められた特定の領域に記録されている情報を、その特定の領域に欠陥の生じたことが検出されていなくても、前記代替領域の一部に移動させる第２の制御手段とを具備することを特徴とする光ディスク装置。
【請求項２】
前記第２の制御手段は、起動タイミングとして、前記光ディスクが装着されたとき、前記光ディスクの情報記録領域への情報の書き込み要求を受信したとき、前記光ディスクの情報記録領域からの情報の読み出し要求を受信したとき、前記光ディスクに記録された情報の管理を行なうシステムからの要求を受信したときの少なくとも１つを含むことを特徴とする請求項１記載の光ディスク装置。
【請求項３】
前記第２の制御手段は、前記光ディスクの情報記録領域の記録品位に応じて、前記特定の領域に記録されている情報を前記代替領域の一部に移動させる処理を実行するか否かを判別することを特徴とする請求項１記載の光ディスク装置。
【請求項４】
前記第２の制御手段は、前記代替領域の残量に応じて、前記特定の領域に記録されている情報を前記代替領域の一部に移動させる処理を実行するか否かを判別することを特徴とする請求項１記載の光ディスク装置。
【請求項５】
前記光ディスクは、その内周側に前記代替領域を有し、
前記第２の制御手段は、前記光ディスクの情報記録領域のうち内周側から離れた位置に記録されている情報を、前記代替領域の一部に移動させることを特徴とする請求項１記載の光ディスク装置。
【請求項６】
前記光ディスクは、前記代替領域を複数個所に有し、
前記第２の制御手段は、前記特定の領域に記録されている情報を、前記光ディスクの最内周に存在する代替領域に移動させることを特徴とする請求項１記載の光ディスク装置。
【請求項７】
前記光ディスクは、ＤＶＤ−ＲＡＭであり、
前記第２の制御手段は、外周側ボリュームストラクチャの情報を内周側スペアエリアに移動させることを特徴とする請求項１記載の光ディスク装置。
【請求項８】
前記光ディスクは、ＤＶＤ−ＲＷであり、
前記第２の制御手段は、外周側ボリュームストラクチャの情報を内周側ボリュームストラクチャ内のスペアリングエリアに移動させることを特徴とする請求項１記載の光ディスク装置。
【請求項９】
情報の書き替えが可能であり、情報記録領域とその一部の領域を交替させるための代替領域とを有する光ディスクに対して、情報の記録再生を行なう光ディスク装置を制御する方法であって、
前記光ディスクの情報記録領域の一部に欠陥が生じたことを検出して、その欠陥の生じた情報記録領域の部分を前記代替領域の一部と交替させる第１の工程と、
所定の起動タイミングに基づいて、前記光ディスクの情報記録領域のうち予め定められた特定の領域に記録されている情報を、その特定の領域に欠陥の生じたことが検出されていなくても、前記代替領域の一部に移動させる第２の工程とを具備することを特徴とする光ディスク装置の制御方法。
【発明の詳細な説明】
【技術分野】
【０００１】
この発明は、書き替え可能な光ディスクに対して情報の記録再生を行なう光ディスク装置及びその制御方法に関する。
【背景技術】
【０００２】
周知のように、近年では、例えばＤＶＤ（digital versatile disk）−ＲＷ（rewritable）及びＤＶＤ−ＲＡＭ（random access memory）等に代表される光ディスクが、大容量で書き替え可能であり、ランダムアクセス性、可搬性及び保存性に優れた記録媒体として実用化され市場に広く普及している。
【０００３】
この種の書き替え可能な光ディスクは、その内周側と外周側とにそれぞれボリュームストラクチャ（volume structure）と称される管理情報が記録されており、内周側ボリュームストラクチャと外周側ボリュームストラクチャとの間の領域に、ユーザ情報が記録されるようになっている。
【０００４】
そして、この光ディスクから情報を再生する光ディスク装置では、ファイルシステムを読み込むために、その起動時に、内周側及び外周側のボリュームストラクチャを順次読み取っている。次に、ファイルストラクチャ（file structure）を読み取り、その後、目的とするファイルの読み取りを行なっている。
【０００５】
この場合、ファイルストラクチャは、一般に、光ディスクの内周側及び外周側ボリュームストラクチャの間のユーザ領域のうち、内周付近に書き込まれていることが多い。このため、光ディスクから情報を読み取る光学式ヘッドは、光ディスクの内周、外周、内周と移動された後、目的ファイル位置に移動されることになる。
【０００６】
ところで、光学式ヘッドが、このような光ディスクの内周から外周、または、外周から内周に移動するためには、約５００ｍｓの時間を要する。このため、光ディスク装置の起動時に、内周側及び外周側のボリュームストラクチャを順次読み取るためには、光学式ヘッドが光ディスクの内外周間を１往復するため、約１秒の時間を要することになる。
【０００７】
また、特に、ＤＶＤ−ＲＡＭは、ＺＣＡＶ（zone constant angular velocity）方式を採用している。このため、光学式ヘッドが光ディスクの内周側と外周側とで情報の読み取りをそれぞれ行なうためには、内周側と外周側とでそれぞれ光ディスクの回転速度が安定化するまでの待ち時間がさらに必要になる場合がある。
【０００８】
特許文献１には、欠陥ブロックの交替領域を内周位置と外周位置とに備えたディスクに対して、ユーザデータ領域のディスク回転速度制御と交替処理領域のディスク回転速度制御とを別々に行ない、ディスクの回転速度の差を抑えて即応性を確保するようにした構成が開示されている。
【特許文献１】特開２００６−１２３２１号公報
【発明の開示】
【発明が解決しようとする課題】
【０００９】
そこで、この発明は上記事情を考慮してなされたもので、起動時に光ディスクから情報を読み取る際の光学式ヘッドの移動距離を極力短くさせるようにして、起動に要する時間の短縮化を図り、ひいては、起動の高速化を促進させるようにした光ディスク装置及びその制御方法を提供することを目的とする。
【課題を解決するための手段】
【００１０】
この発明に係る光ディスク装置は、情報の書き替えが可能であり、情報記録領域とその一部の領域を交替させるための代替領域とを有する光ディスクに対して、情報の記録再生を行なうものを対象としている。そして、光ディスクの情報記録領域の一部に欠陥が生じたことを検出して、その欠陥の生じた情報記録領域の部分を代替領域の一部と交替させる第１の制御手段と、所定の起動タイミングに基づいて、光ディスクの情報記録領域のうち予め定められた特定の領域に記録されている情報を、その特定の領域に欠陥の生じたことが検出されていなくても、代替領域の一部に移動させる第２の制御手段とを備えるようにしたものである。
【００１１】
また、この発明に係る光ディスク装置の制御方法は、情報の書き替えが可能であり、情報記録領域とその一部の領域を交替させるための代替領域とを有する光ディスクに対して、情報の記録再生を行なう光ディスク装置を制御する方法を対象としている。そして、光ディスクの情報記録領域の一部に欠陥が生じたことを検出して、その欠陥の生じた情報記録領域の部分を代替領域の一部と交替させる第１の工程と、所定の起動タイミングに基づいて、光ディスクの情報記録領域のうち予め定められた特定の領域に記録されている情報を、その特定の領域に欠陥の生じたことが検出されていなくても、代替領域の一部に移動させる第２の工程とを備えるようにしたものである。
【発明の効果】
【００１２】
上記した発明によれば、所定の起動タイミングに基づいて、光ディスクの特定の領域に記録されている情報を、その特定の領域に欠陥の生じたことが検出されていなくても、代替領域の一部に移動させることができるようにしたので、起動時に光ディスクから情報を読み取る際の光学式ヘッドの移動距離を極力短くさせるようにして、起動に要する時間の短縮化を図り、ひいては、起動の高速化を促進させることができる。
【発明を実施するための最良の形態】
【００１３】
以下、この発明の実施の形態について図面を参照して詳細に説明する。すなわち、図１及び図２は、この実施の形態で説明する光ディスク装置の一例を示している。ここで、光ディスク１１としては、ユーザ情報を書き替え可能なものが対象となるが、この実施の形態では書き替え可能な次世代ＤＶＤをも含むものとする。
【００１４】
すなわち、光ディスク１１としては、書き替え可能な相変化型光記録媒体であって、例えば波長４０５ｎｍ前後の青色系レーザ光を用いた、次世代ＤＶＤ−ＲＡＭ及びＤＶＤ−ＲＷ等がある。また、波長６５０ｎｍ前後の赤色系レーザ光を用いた、現世代ＤＶＤ−ＲＡＭ及びＤＶＤ−ＲＷ等も普及している。
【００１５】
この光ディスク１１の表面には、スパイラル状にランドトラック及びグルーブトラックがそれぞれ形成されている。この光ディスク１１は、スピンドルモータ１２によって回転駆動される。このスピンドルモータ１２は、モータ制御回路１３によってその回転速度が制御されている。
【００１６】
この光ディスク１１に対する情報の記録及び再生は、光学式ヘッド１４によって行なわれる。光学式ヘッド１４は、スレッドモータ１５とギアを介して連結されている。このスレッドモータ１５は、データバス１６に接続されるスレッドモータドライバ１７により制御される。スレッドモータ１５の固定部には、図示しない永久磁石が設けられており、図示しない駆動コイルが励磁されることにより、光学式ヘッド１４が光ディスク１１の半径方向に移動する。
【００１７】
光学式ヘッド１４には、図２に示すように対物レンズ１８が設けられている。対物レンズ１８は、駆動コイル１９の駆動によりフォーカシング方向（レンズの光軸方向）への移動が可能で、また、駆動コイル２０の駆動によりトラッキング方向（レンズの光軸と直交する方向）への移動が可能であって、レーザ光のビームスポットを移動することで、トラックジャンプを行なうことができる。
【００１８】
変調回路２１は、情報記録時にホスト装置２２からインタフェース回路２３を介して供給されるユーザデータを、例えば８−１４変調（ＥＦＭ：eight to fourteen modulation）して、ＥＦＭデータを生成する。レーザ制御回路２４は、情報記録時（マーク形成時）に、変調回路２１から供給されたＥＦＭデータに基づいて、書き込み用信号を半導体レーザダイオード２５に提供する。
【００１９】
また、レーザ制御回路２４は、情報読み取り時には書き込み信号より小さい読み取り用信号を半導体レーザダイオード２５に提供する。
【００２０】
半導体レーザダイオード２５は、レーザ制御回路２４から供給される書き込み用信号に応じてレーザ光を発生する。半導体レーザダイオード２５から発せられるレーザ光は、コリメータレンズ２６、ハーフプリズム２７、光学系２８、対物レンズ１８を介して光ディスク１１上に照射される。光ディスク１１からの反射光は、対物レンズ１８、光学系２８、ハーフプリズム２７、集光レンズ２９を介して、光検出器３０に導かれる。
【００２１】
光検出器３０は４分割の光検出セルからなり、信号Ａ，Ｂ，Ｃ，ＤをＲＦ（radio frequency）アンプ３１に供給する。ＲＦアンプ３１は、例えばプッシュプル方式を採用して（Ａ＋Ｄ）−（Ｂ＋Ｃ）に対応するトラッキングエラー信号ＴＥをトラッキング制御部３２に供給し、例えば非点収差法を採用して（Ａ＋Ｃ）−（Ｂ＋Ｄ）に対応するフォーカスエラー信号ＦＥをフォーカシング制御部３３に供給する。
【００２２】
さらに、ＲＦアンプ３１は、例えば前記の（Ａ＋Ｄ）−（Ｂ＋Ｃ）に対応するウォブル信号ＷＢをウォブルＰＬＬ（phase locked loop）部／アドレス検出部３４に供給し、（Ａ＋Ｄ）＋（Ｂ＋Ｃ）に対応するＲＦ信号をデータ再生部３５に供給する。
【００２３】
一方、フォーカシング制御部３３の出力信号は、フォーカシング方向の駆動コイル１９に供給される。これにより、レーザ光が光ディスク１１の記録膜上に常時ジャストフォーカスとなる制御がなされる。また、トラッキング制御部３２は、トラッキングエラー信号ＴＥに応じてトラック駆動信号を生成し、トラッキング方向の駆動コイル２０に供給している。
【００２４】
上記フォーカシング制御及びトラッキング制御がなされることで、光検出器３０の光検出セルの出力信号の和信号ＲＦは、記録情報に対応して光ディスク１１のトラック上に形成されたピット等からの反射率の変化が反映される。この信号は、データ再生部３５に供給される。
【００２５】
データ再生部３５は、ＰＬＬ回路３６からの再生用クロック信号に基づき、記録データを再生する。また、データ再生部３５は信号ＲＦの振幅を測定する機能を有し、該測定値はＣＰＵ（central processing unit）３７によって読み出される。
【００２６】
上記トラッキング制御部３２によって対物レンズ１８が制御されているとき、対物レンズ１８が光ディスク１１の最適位置となるように、スレッドモータ１５が制御されることで、光学式ヘッド１４が制御される。
【００２７】
モータ制御回路１３、レーザ制御回路２４、フォーカシング制御部３３、トラッキング制御部３２、データ再生部３５、ＰＬＬ回路３６等は、サーボ制御回路として１つのＬＳＩチップ内に構成することができる。
【００２８】
また、これらの回路部は、データバス１６を介してＣＰＵ３７によって制御される。このＣＰＵ３７は、インタフェース回路２３を介してホスト装置２２から提供される動作コマンド（例えば光ディスク１１に対する情報の読み出し要求及び書き込み要求等）、または、図示しない操作部からの操作情報に基づいて、この光ディスク装置を総合的に制御している。
【００２９】
さらに、ＣＰＵ３７は、ＲＡＭ３８を作業エリアとして使用し、ＲＯＭ３９に記録されたプログラムにしたがって所定の動作を行なう。
【００３０】
そして、上記データ再生部３５で再生されたデータは、エラー訂正処理回路４０によってエラー訂正処理が施された後、映像、副映像及び音声等の再生に供される。
【００３１】
図３は、書き替え可能な光ディスク１１の１つであるＤＶＤ−ＲＡＭの情報配置を示している。すなわち、このＤＶＤ−ＲＡＭは、その半径方向に複数の領域に分割されており、最内周にリードインエリア（lead in area）、最外周にリードアウトエリア（lead out area）を有する。
【００３２】
そして、このリードインエリアとリードアウトエリアとの間の領域は、その内周側から外周側に向けて、ゾーン（zone）０、ゾーン１、ゾーン２、ゾーン３、……、ゾーン３２、ゾーン３３、ゾーン３４と称される、３５個のゾーンに分割されている。
【００３３】
このうち、最内周に位置するゾーン０は、その内周側にプライマリィスペアエリア（primary spare area）を有し、最外周に位置するゾーン３４は、その外周側にサプリメンタリィスペアエリア（supplementary spare area）を有している。すなわち、ＤＶＤ−ＲＡＭは、そのリードインエリアとリードアウトエリアとの間の領域の内周側と外周側とにそれぞれスペアエリアを備えている。
【００３４】
また、上記した２つのスペアエリアを除いたゾーン０〜３４の全領域は、ファイルシステムを格納するためのユーザエリア（user area）となっている。
【００３５】
そして、上記した２つのスペアエリアは、交替領域となっている。すなわち、上記ユーザエリアの中で、物理的に欠陥を生じて記録情報の信頼性が低くなった領域と交替するための代替領域として使用される。
【００３６】
また、ＤＶＤ−ＲＡＭのファイルシステムは、ＵＤＦ（universal disk format）と称される方式が採用されている。このファイルフォーマットは、光ディスク１１の全面を使う目的で、ユーザエリアの最内周と最外周とにそれぞれボリュームストラクチャを作成し、両ボリュームストラクチャの間をファイル構造やファイルの領域としている。
【００３７】
図４は、ＤＶＤ−ＲＡＭにおける内周側のボリュームストラクチャ及び外周側のボリュームストラクチャの一例を示している。すなわち、内周側のボリュームストラクチャは、ＬＳＮ（logical sector number）０〜２５６までの情報であり、外周側のボリュームストラクチャは、last ＬＳＮ〜last ＬＳＮ−２５６までの情報である。
【００３８】
図５は、光ディスク装置が光ディスク１１を起動する際の処理動作をまとめたフローチャートを示している。すなわち、上記ホスト装置２２から光ディスク１１の起動が要求されることにより処理が開始（ステップＳ１）されると、ＣＰＵ３７は、ステップＳ２で、光学式ヘッド１４で読み取った情報に基づいて光ディスク１１の種別を判定し、その判定結果をホスト装置２２に出力する。
【００３９】
その後、ホスト装置２２がファイルシステムを読み込むために、ＣＰＵ３７は、ステップＳ３で、内周側のボリュームストラクチャを読み取り、ステップＳ４で、外周側のボリュームストラクチャを読み取る。次に、ＣＰＵ３７は、ステップＳ５で、ファイルストラクチャを読み取った後、ステップＳ６で、目的のファイルを読み取り、処理を終了（ステップＳ７）する。
【００４０】
この場合、一般的に、ファイルストラクチャは、２つのボリュームストラクチャを除くユーザエリアの内周付近に書き込まれている。このため、光ディスク１１上における情報の読み取り位置は、内周、外周、内周、ファイル位置の順で変わり、これに伴なって、光学式ヘッド１４が移動することになる。
【００４１】
通常、光学式ヘッド１４は、直径が１２ｃｍの光ディスク１１の場合、内周から外周、または、外周から内周への移動に、約５００ｍｓ程度の時間を要する。このため、起動時に、内周側及び外周側のボリュームストラクチャを順次読み取るためには、光学式ヘッド１４が光ディスク１１の内外周間を１往復するため、約１秒程度の時間が必要となる。
【００４２】
また、特に、ＤＶＤ−ＲＡＭは、ＺＣＡＶ方式を採用しているため、光学式ヘッド１４が光ディスク１１の内周側に位置したときと外周側に位置したときとで、それぞれ光ディスク１１の回転速度が安定化するまでの待ち時間がさらに必要になる場合がある。
【００４３】
そこで、この実施の形態では、以下に述べる手段により、起動時に光ディスク１１から管理情報を読み取る際の光学式ヘッド１４の移動距離を極力短くさせるようにして、起動に要する時間の短縮化を図り、ひいては、起動の高速化を促進させるようにしている。
【００４４】
すなわち、ＤＶＤ−ＲＡＭの欠陥管理方法の１つとして用いられるＳＤＬ（secondary defect list）では、２つのボリュームストラクチャを除くユーザエリアのうち、使用中に情報の読み書きに不具合の発生した任意の領域（ブロック）を、スペアエリアの領域（ブロック）と交替させるようにしている。
【００４５】
この場合、スペアエリア内に交替可能なブロックが存在していれば、２つのボリュームストラクチャを除くユーザエリアの中で、不具合の発生していないブロックであっても、不具合が発生したものとしてスペアエリアのブロックと交替させることが、規格上可能になっている。
【００４６】
このため、図６に示すように、外周側のボリュームストラクチャを、その読み書きに不具合が発生していなくても、内周側のスペアエリアであるプライマリィスペアエリアのブロックと交替させるようにする。このようにすれば、内周側及び外周側のボリュームストラクチャが共に内周側に位置するようになる。
【００４７】
すると、光ディスク装置が、その起動時に、内周側及び外周側のボリュームストラクチャを順次読み取り、ファイルストラクチャを読み取った後、目的とするファイルを読み取る際に、光ディスク１１上における情報の読み取り位置は、内周、内周、内周、ファイル位置の順で変わることになる。
【００４８】
このため、光ディスク装置が、内周側及び外周側のボリュームストラクチャを順次読み取り、ファイルストラクチャを読み取るまで、光学式ヘッド１４は、光ディスク１１の内周側だけを移動すればよいことになり、光学式ヘッド１４の移動距離を極力短くさせることができる。これにより、起動に要する時間の短縮化を図り、ひいては、起動の高速化を促進させることが可能となる。
【００４９】
ここで、スペアエリアは、上記したように、光ディスク１１上における傷等の物理的な欠陥により、読み書きに不具合が発生した際に、その欠陥領域を代替することにより、光ディスク１１の情報記録性能、つまり、記録品位を維持するために存在する。すなわち、光ディスク１１上に欠陥領域が多く存在する場合には、より多くのスペアエリアの領域が必要とされる。このため、外周側のボリュームストラクチャを内周側のスペアエリアのブロックと交替させることは、無条件に実施してよいわけではない。
【００５０】
図７は、外周側のボリュームストラクチャを内周側のスペアエリアのブロックと交替させてもよいか否かを判別するための処理動作をまとめたフローチャートを示している。すなわち、処理が開始（ステップＳ１１）されると、ＣＰＵ３７は、ステップＳ１２で、光ディスク１１の記録品位が既に確認されているか否かを判別する。
【００５１】
そして、光ディスク１１の記録品位が確認されていないと判断された場合（ＮＯ）、ＣＰＵ３７は、ステップＳ１３で、推定される記録品位に対してスペアエリア全体の空きが十分に存在するか否かを判別し、存在しないと判断された場合（ＮＯ）、ステップＳ１４で、外周側のボリュームストラクチャを内周側のスペアエリアのブロックと交替させる処理を実行不可と判断して処理を終了する。
【００５２】
また、上記ステップＳ１２で光ディスク１１の記録品位が確認されていると判断された場合（ＹＥＳ）、ＣＰＵ３７は、ステップＳ１５で、確認されている記録品位に対してスペアエリア全体の空きが十分に存在するか否かを判別し、存在しないと判断された場合（ＮＯ）、上記ステップＳ１４で、外周側のボリュームストラクチャを内周側のスペアエリアのブロックと交替させる処理を実行不可と判断して処理を終了する。
【００５３】
一方、上記ステップＳ１３またはステップＳ１５で記録品位に対してスペアエリア全体の空きが十分に存在すると判断された場合（ＹＥＳ）、ＣＰＵ３７は、ステップＳ１６で、内周側のスペアエリア（プライマリィスペアエリア）に空きが十分に存在するか否かを判別し、存在すると判断さたれ場合（ＹＥＳ）、ステップＳ１７で、外周側のボリュームストラクチャを内周側のスペアエリアのブロックと交替させる処理を実行可能と判断して処理を終了する。
【００５４】
また、上記ステップＳ１６で内周側のスペアエリアに空きが十分に存在しないと判断された場合（ＮＯ）、ＣＰＵ３７は、ステップＳ１８で、内周側のスペアエリアの中の交替で使用されているブロックを、必要な量だけ外周側のスペアエリア（サプリメンタリィスペアエリア）に移動させた後、ステップＳ１７で、外周側のボリュームストラクチャを内周側のスペアエリアのブロックと交替させる処理を実行可能と判断して処理を終了する。
【００５５】
すなわち、光ディスク１１の記録品位が予めわかっている場合には、その記録品位に対応した領域を確保した後のスペアエリアの残量を、内周側スペアエリアの外周側ボリュームストラクチャの交替に必要な量と比較して、外周側ボリュームストラクチャの内周側スペアエリアへの交替処理が実行可能か否かを決定している。
【００５６】
また、光ディスク１１の記録品位がわかっていない場合には、その光ディスク１１に対して推定される記録品位に対応した領域を確保した後のスペアエリアの残量を、内周側スペアエリアの外周側ボリュームストラクチャの交替に必要な量と比較して、外周側ボリュームストラクチャの内周側スペアエリアへの交替処理が実行可能か否かを決定している。
【００５７】
さらに、内周側のスペアエリアの空き容量が必要量を下回っている場合には、既に欠陥領域と交替されているブロックの中から必要な分だけを外周側のスペアエリアに移動させて空き領域を確保することにより、外周側ボリュームストラクチャの内周側スペアエリアへの交替処理を実行させるようにしている。
【００５８】
次に、図８は、書き替え可能な光ディスク１１の１つであるＤＶＤ−ＲＷの情報配置を示している。すなわち、このＤＶＤ−ＲＷは、その最内周にリードインエリア、最外周にリードアウトエリアを有する。そして、このリードインエリアに隣接した外側に内周側のボリュームストラクチャを有し、リードアウトエリアに隣接した内側に外周側のボリュームストラクチャを有しており、各ボリュームストラクチャの間がユーザ情報の記録される領域となっている。
【００５９】
図９は、ＤＶＤ−ＲＷにおける内周側のボリュームストラクチャ及び外周側のボリュームストラクチャの一例を示している。すなわち、内周側のボリュームストラクチャは、ＬＳＮ０〜８５７５までの情報であり、外周側のボリュームストラクチャは、last ＬＳＮ〜last ＬＳＮ−２７１までの情報である。
【００６０】
そして、ＤＶＤ−ＲＷにおいては、その内周側のボリュームストラクチャ内のＬＳＮ３２０〜８５１１に、欠陥領域と交替するための代替領域となるスペアリングエリア（sparing area）が設けられている。
【００６１】
このため、ＤＶＤ−ＲＷの場合には、図１０に示すように、外周側のボリュームストラクチャを、内周側のボリュームストラクチャ内のスペアリングエリアのブロックと交替させるようにする。このようにすれば、内周側及び外周側のボリュームストラクチャが共に内周側に位置するようになる。
【００６２】
ここで、ＨＤ（high definition）ＤＶＤ−ＲＡＭでは、ＤＶＤ−ＲＡＭと同様にスペアエリアを用いた欠陥管理が行なわれており、上記した実施の形態と同様に、外周側のボリュームストラクチャを内周側のスペアエリアのブロックと交替させる処理を実行させることができる。
【００６３】
なお、ＤＶＤ−ＲＷでは、ＤＲＴ（distributed real time）−ＤＭ（defect management）と組み合わせて欠陥管理する場合もある。
【００６４】
上記した実施の形態と同様に、不具合の発生していない領域を、このファイルシステム上の交替領域に交替させることにより、処理の高速化を図ることができる。ただし、上記した実施の形態のシステムでは、ホスト装置２２がファイルシステムを管理している。交替処理に必要な判断は、ホスト装置２２側で実施される点が異なっている。
【００６５】
次に、交替処理の起動条件について説明する。まず、ホスト装置２２からの読み出し（read）要求コマンド及び書き込み（write）要求コマンドを受信したとき、外周側のボリュームストラクチャ（ファイル管理情報）を強制的に内周側のスペアエリア（代替領域）に交替させる。この場合、強制交替させるか否かの判定のために、ホスト装置２２からの通知を受ける。また、光ディスク１１を光ディスク装置に装着したときに強制交替を行なわせるようにしてもよい。
【００６６】
なお、光ディスク１１上におけるファイルの書き込み位置の分布に応じて、内周側より離れた位置に書き込まれているファイルを強制的に内周側に交替させるようにすることもできる。また、強制交替させるファイルに対し、ホスト装置２が読み出し要求したときに強制交替させる。さらに、交替先が複数個所ある場合には、内周に近い交替領域に交替させるように制御する。また、選択した交替先が満杯の場合には、その交替先のブロックを他の交替先へ交替させて、空いたブロックに強制交替させる。既に強制交替済みの場合には、交替しない。そして、光ディスク１１の内周中心より離れた位置に書き込まれたファイルを、強制交替させる。
【００６７】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６８】
【図１】この発明の実施の形態を示すもので、光ディスク装置の一例を説明するために示すブロック構成図。
【図２】同実施の形態における光ディスク装置の光学式ヘッドを説明するために示す図。
【図３】同実施の形態における光ディスク装置が駆動するＤＶＤ−ＲＡＭの情報配置を説明するために示す図。
【図４】同実施の形態におけるＤＶＤ−ＲＡＭの内周側と外周側のボリュームストラクチャを説明するために示す図。
【図５】同実施の形態における光ディスク装置が光ディスクを起動する際の処理動作を説明するために示すフローチャート。
【図６】同実施の形態における光ディスク装置によって情報の交替が行なわれた後のＤＶＤ−ＲＡＭの情報配置を説明するために示す図。
【図７】同実施の形態における光ディスク装置が情報の交替を行なうか否かを判別するための処理動作を説明するために示すフローチャート。
【図８】同実施の形態における光ディスク装置が駆動するＤＶＤ−ＲＷの情報配置を説明するために示す図。
【図９】同実施の形態におけるＤＶＤ−ＲＷの内周側と外周側のボリュームストラクチャを説明するために示す図。
【図１０】同実施の形態における光ディスク装置によって情報の交替が行なわれた後のＤＶＤ−ＲＷの情報配置を説明するために示す図。
【符号の説明】
【００６９】
１１…光ディスク、１２…スピンドルモータ、１３…モータ制御回路、１４…光学式ヘッド、１５…スレッドモータ、１６…データバス、１７…スレッドモータドライバ、１８…対物レンズ、１９…駆動コイル、２０…駆動コイル、２１…変調回路、２２…ホスト装置、２３…インタフェース回路、２４…レーザ制御回路、２５…半導体レーザダイオード、２６…コリメータレンズ、２７…ハーフプリズム、２８…光学系、２９…集光レンズ、３０…光検出器、３１…ＲＦアンプ、３２…トラッキング制御部、３３…フォーカシング制御部、３４…ウォブルＰＬＬ部／アドレス検出部、３５…データ再生部、３６…ＰＬＬ回路、３７…ＣＰＵ、３８…ＲＡＭ、３９…ＲＯＭ、４０…エラー訂正回路。
【図１】
2008165882.tif 000003
【図２】
2008165882.tif 000004
【図３】
2008165882.tif 000005
【図４】
2008165882.tif 000006
【図５】
2008165882.tif 000007
【図６】
2008165882.tif 000008
【図７】
2008165882.tif 000009
【図８】
2008165882.tif 000010
【図９】
2008165882.tif 000011
【図１０】
2008165882.tif 000012